(57)【要約】【課題】設置やメンテナンスに係る作業性向上などを図ることができる排水栓装置を提供する。【解決手段】排水栓装置１は、通水管部４１、操作側機構部４２、栓蓋側機構部４３、アウターチューブ４４及び伝達部材４５を有し、通水管部４１の一端側部分に操作側機構部４２が設けられ、通水管部４１の他端側部分に栓蓋側機構部４３が設けられ、両端部が操作側機構部４２及び栓蓋側機構部４３により保持されたアウターチューブ４４が通水管部４１内に配置され、かつ、アウターチューブ４４内に伝達部材４５が配設された状態で、これら部品が一体とされてなるユニット体４を備える。ユニット体４における通水管部４１をそれぞれ所定の操作側被取付部及び栓蓋側被取付部に取付けることで、ユニット体４を構成する各部品がそれぞれ最終的な配設目的位置に配設される。【選択図】      図９
2019203313.tif 000002
【特許請求の範囲】
【請求項１】
槽体に設けられた排水口を開閉するための上下動可能な栓蓋と、
自身の内側部分が前記排水口を流れる排水の流路を構成し、かつ、内側から外側に貫通する連通孔を有する排水部材と、
前記槽体又はその近傍の構造物である取付対象物に取付けられ、前記取付対象物の表面側から自身の一端側開口を通って自身の内部へと水が浸入可能な状態とされた筒状の操作側被取付部と、
前記操作側被取付部の内部及び前記一端側開口の近傍のうちの少なくとも一方に配置され、前記操作側被取付部に対し相対変位可能な操作部材とを備えた排水栓装置であって、
前記排水部材は、前記連通孔に対応する部位に環状又は筒状の栓蓋側被取付部を有し、
前記操作側被取付部及び前記栓蓋側被取付部に取付けられ、前記操作側被取付部の内部に浸入した水を前記排水部材の内側部分へと案内する筒状の通水管部と、
筒状のアウターチューブと、
前記アウターチューブの一端部を保持する一端保持部を少なくとも有する操作側機構部と、
前記アウターチューブの他端部を保持する他端保持部を少なくとも有する栓蓋側機構部と、
前記操作部材の変位による駆動力を前記栓蓋側に伝達するためのワイヤ状の伝達部材とを備え、
前記通水管部、前記操作側機構部、前記栓蓋側機構部、前記アウターチューブ、及び、前記伝達部材は、当該通水管部の一端側部分に当該操作側機構部が設けられ、当該通水管部の他端側部分に当該栓蓋側機構部が設けられ、両端部が当該操作側機構部及び当該栓蓋側機構部により保持された当該アウターチューブが当該通水管部内に配置され、かつ、当該アウターチューブ内に当該伝達部材が配設された状態で一体とされることによりユニット体となっており、
前記ユニット体における前記通水管部の一端側部分は、前記操作側被取付部に対し取付及び取外可能に構成されるとともに、
前記ユニット体における前記通水管部の他端側部分は、前記栓蓋側被取付部に対し取付及び取外可能に構成され、
前記ユニット体における前記通水管部を前記操作側被取付部及び前記栓蓋側被取付部に取付けることで、前記ユニット体を構成する各部品がそれぞれ最終的な配設目的位置に配設されるように構成されていることを特徴とする排水栓装置。
【請求項２】
前記栓蓋側被取付部のうち少なくとも前記通水管部の他端側部分が取付けられる部位は、水平方向又は斜め水平方向に延びていることを特徴とする請求項１に記載の排水栓装置。
【請求項３】
前記栓蓋側被取付部は、筒状をなすとともに、前記排水部材における前記排水口を流れる排水の流路とは反対側に位置する開口である端部開口を有し、
前記端部開口は、上向き又は斜め上向きに開口するように構成されており、
前記栓蓋側被取付部には、前記操作部材側から前記栓蓋側に対する駆動力の伝達経路の一部を構成し、前記伝達部材の変位に伴い変位可能な介在部材が挿設されており、
前記介在部材は、前記端部開口を通して、前記栓蓋側被取付部内に配置可能であるとともに前記栓蓋側被取付部から取外可能に構成されていることを特徴とする請求項１又は２に記載の排水栓装置。
【請求項４】
前記操作部材の変位に伴い回動可能な回動部を有し、前記栓蓋側被取付部に挿設された円柱部と、
前記栓蓋を直接又は間接的に支持するとともに、前記排水口を流れる排水の流路に配置され、かつ、前記回動部の回動に伴い上下動可能な支持部とを有し、
前記円柱部の中心部を貫通する形状をなし、前記操作側被取付部の内部に浸入した水の流路となる通水部を有することを特徴とする請求項１乃至３のいずれか１項に記載の排水栓装置。
【発明の詳細な説明】
【技術分野】
【０００１】
本発明は、槽体の排水口を開閉するための栓蓋を備えた排水栓装置に関する。
【背景技術】
【０００２】
排水栓装置は、槽体（例えば、浴槽又は洗面器など）の排水口に設けられた栓蓋を備えており、栓蓋を上下動させることで排水口を開閉させるものである。
【０００３】
排水栓装置としては、前記栓蓋を有し、排水口に対応して設けられる排水口側装置と、操作用の操作部材を有し、所定の取付対象物（例えば、槽体やその近傍の構造物）に設けられる操作側装置と、排水口側装置及び操作側装置の間に配設される中間装置とを備えたものがある（例えば、特許文献１等参照）。
【０００４】
排水口側装置は、前記栓蓋に加えて、排水部材を備えている。排水部材は、排水口の下方に設けられ、排水口を通る排水の流路を構成する部品であり、例えば、上記特許文献における筒状の継手金具や排水筒である。排水部材には、後述する伝達部材等を配置するための連通孔が内外に貫通するようにして形成されている。さらに、排水口側装置は、前記連通孔に対応する部分に、後述する通水管部を取付けるための筒状の栓蓋側被取付部を備えている。
【０００５】
操作側装置は、前記操作部材に加えて、操作側被取付部を備えている。操作側被取付部は、前記取付対象物に取付けられる筒状の部品であり、この操作側被取付部の内部や近傍に前記操作部材が配置される。操作側被取付部は、例えば、上記特許文献における取付筒である。
【０００６】
中間装置は、栓蓋側機構部、操作側機構部、通水管部、アウターチューブ及び伝達部材を備えている。栓蓋側機構部は、アウターチューブの一端部を保持する一端保持部と変位可能な栓蓋側連動部とを有し、前記排水部材側に設けられるものであり、例えば、上記特許文献におけるメカボックスである。栓蓋は、前記栓蓋側連動部の変位により上下動する。操作側機構部は、アウターチューブの他端部を保持する他端保持部と変位可能な操作側連動部とを有し、操作側被取付部側に設けられるものであり、例えば、上記特許文献における操作体である。操作側連動部は、操作部材の変位により変位する。通水管部は、操作側被取付部と栓蓋側被取付部とを接続する管体であり、操作側被取付部の内部に浸入した水を排水部材側へと案内するものである。アウターチューブは、自身の内周に伝達部材を往復移動可能な状態で収容するものである。伝達部材は、操作部材の変位に伴う駆動力を栓蓋側へと伝達するためのものであり、操作側連動部の変位により動作することで、栓蓋側連動部を変位させる。伝達部材は、例えば、ワイヤ等により構成される。
【０００７】
尚、栓蓋側機構部、操作側機構部、アウターチューブ及び伝達部材は、一体とされていることが多い。以下では、一体とされたこれらをレリース機構と称する。
【０００８】
上記のように構成された排水栓装置においては、操作部材の変位に伴い、操作側連動部、伝達部材及び栓蓋側連動部が連動して変位する。その結果、栓蓋が上下動し、排水口が開閉されることになる。
【先行技術文献】
【特許文献】
【０００９】
【特許文献１】特開平９−６００７３号公報
【発明の概要】
【発明が解決しようとする課題】
【００１０】
ところで、上記のような排水栓装置は、通常、設置時や故障対応などのメンテナンス時に、次の手法で槽体に取付けられる。
【００１１】
まず、槽体に対し、栓蓋側被取付部が予め設けられた排水部材を取付けるとともに、取付対象物に対し、操作側被取付部を取付ける。また、通水管部を栓蓋側被取付部及び操作側被取付部に取付ける。通水管部は、通常、接着剤やバンドなどによって栓蓋側被取付部及び操作側被取付部に対し直接取付けられる。
【００１２】
尚、作業環境の不安定さや作業者の技量などを踏まえ、作業の容易性向上や取付ミスの防止を実現するという観点では、施工現場における栓蓋側被取付部等に対する通水管部の取付を避けた方がよいこともある。そこで、工場などにおいて、栓蓋側被取付部（排水部材）及び操作側被取付部に対し通水管部を予め取付けておき、排水部材、通水管部及び操作側被取付部を一体品としておくことがある。この場合には、施工現場において、この一体品における排水部材や操作側被取付部が槽体などへと取付けられる。
【００１３】
但し、前記一体品は、比較的長く通常やや固めの通水管部の両端部に対し、排水部材及び操作側被取付部が取付けられたものであるため、非常にかさばる。そのため、出荷段階においてこの一体品の輸送や梱包に支障が生じたり、施工現場での部品（一体品）の取り回しが容易でなく、作業性が低下したりするおそれがある。そのため、出荷段階では排水部材等と通水管部とを分離させておき、上記のように、施工現場にて通水管部を栓蓋側被取付部等に取付けるといったことも考えられる。
【００１４】
排水栓装置の取付手法の説明に戻り、槽体や取付対象物に対し排水部材及び操作側被取付部を取付け、かつ、通水管部を栓蓋側被取付部及び操作側被取付部に取付けた後には、操作側被取付部の開口からその内部へと栓蓋側機構部を先頭にしてレリース機構を挿入する。そして、少なくとも栓蓋側機構部が通水管部と栓蓋側被取付部とを通過して排水部材の内側に出るまでレリース機構の挿入を進めていき、通水管部内にアウターチューブ及び伝達部材を配設する。その後、排水部材の内側から上方へとレリース機構の一端側部分（栓蓋側機構部やこれに固定されたアウターチューブの端部）を引き出す。次いで、引き出されたレリース機構における栓蓋側機構部を所定のアタッチメント部材に取付けた上で、当該アタッチメント部材を槽体又は排水口に挿設された部材に取付けることにより、栓蓋側機構部を最終的な配設目的位置にセットする。一方、操作側被取付部側においては、例えば、操作側被取付部の内部に設けられた支持筒に対し操作側機構部を挿設することにより、操作側機構部を最終的な配設目的位置にセットする。そして、栓蓋や操作部材を所定位置に配設することで、槽体に対する排水栓装置の取付が完了する。尚、栓蓋側機構部及び操作側機構部をそれぞれ最終的な配設目的位置にセットすることで、結果的に、伝達部材及びアウターチューブも最終的な配設目的位置にセットされることになる。
【００１５】
しかしながら、上記の取付手法では、
（１）通水管部を栓蓋側被取付部及び操作側被取付部に取付ける工程
（２）通水管部にレリース機構を挿入する工程
（３）栓蓋側機構部を最終的な配設目的位置にセットする工程
（４）操作側機構部を最終的な配設目的位置にセットする工程
が必要となり、伝達部材やアウターチューブ、操作側機構部などを最終的な配設目的位置に設けるにあたっての作業工数が多い。また、故障対応のメンテナンスなどを行うにあたって、伝達部材やアウターチューブ、操作側機構部などを取外す際には、上記取付手法とは逆の手順で作業を行うことになるが、取付時と同様に作業工数が多いものとなってしまう。そのため、設置やメンテナンスを行う際に、多くの手間や時間を要してしまい、ひいては作業者に多大な負担を強いることになってしまうおそれがある。
【００１６】
本発明は、上記事情に鑑みてなされたものであり、その目的は、設置やメンテナンスに係る作業性向上などを図ることができる排水栓装置を提供することにある。
【課題を解決するための手段】
【００１７】
以下、上記目的を解決するのに適した各手段につき、項分けして説明する。なお、必要に応じて対応する手段に特有の作用効果を付記する。
【００１８】
手段１．槽体に設けられた排水口を開閉するための上下動可能な栓蓋と、
自身の内側部分が前記排水口を流れる排水の流路を構成し、かつ、内側から外側に貫通する連通孔を有する排水部材と、
前記槽体又はその近傍の構造物である取付対象物に取付けられ、前記取付対象物の表面側から自身の一端側開口を通って自身の内部へと水が浸入可能な状態とされた筒状の操作側被取付部と、
前記操作側被取付部の内部及び前記一端側開口の近傍のうちの少なくとも一方に配置され、前記操作側被取付部に対し相対変位可能な操作部材とを備えた排水栓装置であって、
前記排水部材は、前記連通孔に対応する部位に環状又は筒状の栓蓋側被取付部を有し、
前記操作側被取付部及び前記栓蓋側被取付部に取付けられ、前記操作側被取付部の内部に浸入した水を前記排水部材の内側部分へと案内する筒状の通水管部と、
筒状のアウターチューブと、
前記アウターチューブの一端部を保持する一端保持部を少なくとも有する操作側機構部と、
前記アウターチューブの他端部を保持する他端保持部を少なくとも有する栓蓋側機構部と、
前記操作部材の変位による駆動力を前記栓蓋側に伝達するためのワイヤ状の伝達部材とを備え、
前記通水管部、前記操作側機構部、前記栓蓋側機構部、前記アウターチューブ、及び、前記伝達部材は、当該通水管部の一端側部分に当該操作側機構部が設けられ、当該通水管部の他端側部分に当該栓蓋側機構部が設けられ、両端部が当該操作側機構部及び当該栓蓋側機構部により保持された当該アウターチューブが当該通水管部内に配置され、かつ、当該アウターチューブ内に当該伝達部材が配設された状態で一体とされることによりユニット体となっており、
前記ユニット体における前記通水管部の一端側部分は、前記操作側被取付部に対し取付及び取外可能に構成されるとともに、
前記ユニット体における前記通水管部の他端側部分は、前記栓蓋側被取付部に対し取付及び取外可能に構成され、
前記ユニット体における前記通水管部を前記操作側被取付部及び前記栓蓋側被取付部に取付けることで、前記ユニット体を構成する各部品がそれぞれ最終的な配設目的位置に配設されるように構成されていることを特徴とする排水栓装置。
【００１９】
上記手段１によれば、通水管部、操作側機構部、栓蓋側機構部、アウターチューブ、及び、伝達部材は、一体とされることによりユニット体を構成している。また、ユニット体における通水管部の一端側部分が操作側被取付部に対し取付・取外可能とされ、ユニット体における通水管部の他端側部分が栓蓋側被取付部に対し取付・取外可能とされている。そして、ユニット体における通水管部を操作側被取付部及び栓蓋側被取付部に取付けることで、ユニット体を構成する各部品、すなわち、通水管部、操作側機構部、栓蓋側機構部、アウターチューブ及び伝達部材がそれぞれ最終的な配設目的位置に配設される。
【００２０】
このように、上記手段１によれば、通水管部を栓蓋側被取付部及び操作側被取付部に取付ける工程を行うことで、栓蓋側機構部を最終的な配設目的位置にセットする工程と、操作側機構部を最終的な配設目的位置にセットする工程とを一度に行うことができる。また、通水管部にアウターチューブなどを挿入する工程を行うことなく、伝達部材及びアウターチューブを最終的な配設目的位置にセットすることができる。すなわち、上記手段１によれば、上述した（１）の工程のみを行うことで、上述した（２）〜（４）に相当する工程が一度に行われ、さらに伝達部材及びアウターチューブを最終的な配設目的位置へとセットすることができる。従って、取付に係る作業工数を著しく減らすことができる。さらに、通水管部を栓蓋側被取付部及び操作側被取付部から取外すことで、ユニット体を取外すことができるため、取外に係る作業工数も著しく減らすことができる。
【００２１】
加えて、上記手段１によれば、ユニット体を構成する各部品は一体である（ひとまとめとされている）。そのため、ユニット体（つまり、従来技術における中間装置）をひとまとめにして操作側被取付部等に取付けたり、操作側被取付部等から取外したりすることができる。すなわち、ユニット体を構成する各部品を分離した状態とすることなく、これらをまとめた状態で取付・取外を行うことができる。従って、取付や取外に係る利便性を効果的に高めることができる。
【００２２】
以上の各作用効果が相乗的に働くことで、上記手段１によれば、設置やメンテナンスに係る作業性を飛躍的に向上させることができる。
【００２３】
また、上記手段１によれば、ユニット体を操作側被取付部等に取付けさえすれば、通水管部を最終的な配設目的位置にセットすることができる。従って、出荷段階では排水部材等と通水管部（ユニット体）とを分離させておき、施工現場で（１）の工程を行うこととしても、作業の容易性向上や取付ミスの防止をより確実に図ることができる。加えて、これらの作用効果を得るために、工場などで（１）の工程を予め行い、通水管部及び排水部材等を一体品としておく必要はなくなる。従って、部品の輸送や梱包に支障が生じてしまうことをより確実に防止できる。さらに、施工現場における部品の取り回しが容易となり、作業性を一段と向上させることができる。
【００２４】
加えて、上記手段１によれば、操作側被取付部の内部に浸入した水が、排水部材の内側部分へと導かれる状態となるため、排水口を通過した水と、操作側被取付部の内部に浸入した水とを一か所に集めて排水することができる。従って、部品点数の削減を図りつつ、衛生性や清掃性を高めることができる。
【００２５】
手段２．前記栓蓋側被取付部のうち少なくとも前記通水管部の他端側部分が取付けられる部位は、水平方向又は斜め水平方向に延びていることを特徴とする手段１に記載の排水栓装置。
【００２６】
上記手段２によれば、栓蓋側被取付部のうち少なくとも通水管部の他端側部分が取付けられる部位は、水平方向又は斜め水平方向に延びている。従って、排水部材の横から、通水管部の他端側部分を、栓蓋側被取付部に取付けたり、栓蓋側被取付部から取外したりすることができる。従って、排水部材の下方に十分なスペースがないような場合であっても、通水管部の取付・取外に係る作業をより容易に行うことができ、作業性をより高めることができる。
【００２７】
さらに、上記手段２によれば、槽体の下方のスペースが小さい場合であっても、栓蓋側被取付部や通水管部などを比較的余裕をもって配設することが可能となる。これにより、槽体をより低床とするなどの設計が可能となり、槽体や槽体を利用した構造物（例えば、浴室ユニット等）における設計の自由度を高めることが可能となる。
【００２８】
尚、槽体が浴槽である場合、槽体の下方において大きなスペースを確保することは通常難しい。そのため、上記手段２の構成は、槽体が浴槽である場合に特に有効となる。
【００２９】
手段３．前記栓蓋側被取付部は、筒状をなすとともに、前記排水部材における前記排水口を流れる排水の流路とは反対側に位置する開口である端部開口を有し、
前記端部開口は、上向き又は斜め上向きに開口するように構成されており、
前記栓蓋側被取付部には、前記操作部材側から前記栓蓋側に対する駆動力の伝達経路の一部を構成し、前記伝達部材の変位に伴い変位可能な介在部材が挿設されており、
前記介在部材は、前記端部開口を通して、前記栓蓋側被取付部内に配置可能であるとともに前記栓蓋側被取付部から取外可能に構成されていることを特徴とする手段１又は２に記載の排水栓装置。
【００３０】
上記手段３によれば、端部開口は、上向き又は斜め上向きに開口している。そのため、端部開口の上方から、端部開口を通した介在部材の配置や取外を容易に行うことができる。従って、設置やメンテナンスに係る作業性を一層向上させることができる。
【００３１】
尚、介在部材は、ユニット体の構成部品であってもよい。介在部材がユニット体の構成部品である場合には、通水管部を操作側被取付部等に取付けることで、介在部材を最終的な配設目的位置にセットすることができる。従って、介在部材の取付や取外に係る作業工数をより減らすことができ、また、介在部材を含むユニット体をひとまとめにして取扱うことができる。これらの結果、設置やメンテナンスに係る作業性をより向上させることができる。
【００３２】
手段４．前記操作部材の変位に伴い回動可能な回動部を有し、前記栓蓋側被取付部に挿設された円柱部と、
前記栓蓋を直接又は間接的に支持するとともに、前記排水口を流れる排水の流路に配置され、かつ、前記回動部の回動に伴い上下動可能な支持部とを有し、
前記円柱部の中心部を貫通する形状をなし、前記操作側被取付部の内部に浸入した水の流路となる通水部を有することを特徴とする手段１乃至３のいずれかに記載の排水栓装置。
【００３３】
尚、上記手段４が上記手段３に従属する場合、回動部は介在部材の少なくとも一部に相当する。
【００３４】
栓蓋側被取付部に対し円柱部が挿通された状態とした場合には、円柱部によって、操作側被取付部の内部に浸入した水が排水部材の内側へと至りにくくなってしまうことが考えられる。
【００３５】
この点、上記手段４によれば、円柱部には、操作側被取付部の内部に浸入した水の流路となる通水部が設けられている。従って、水を円滑に流すことができ、良好な排水能力をより確実に確保することができる。また、通水部は、円柱部の中心部を貫通する形状をなすため、回動部が回動した場合であっても、通水部の位置がほとんど変化しなくなり、より円滑な通水を図ることができる。
【００３６】
尚、ユニット体が、円柱部及び支持部を備えることとしてもよい。この場合には、ユニット体を操作側被取付部等に取付けることで、円柱部及び支持部を最終的な配設目的位置にセットすることができる。従って、取付や取外に係る作業工数をより減らすことができ、また、円柱部及び支持部を含むユニット体をひとまとめにして取扱うことができる。これらの結果、設置やメンテナンスに係る作業性を一段と向上させることができる。
【図面の簡単な説明】
【００３７】
【図１】排水栓装置の概略構成を示す断面図である。
【図２】操作側装置などの構成を示す一部破断正面図である。
【図３】図５のＪ−Ｊ線断面図である。
【図４】図５のＫ−Ｋ線断面図である。
【図５】栓蓋から一定距離以上離間した浴槽を省略した状態の排水口側装置などを示す平面図である。
【図６】排水口を閉状態としたときにおける排水口側装置などの断面図である。
【図７】栓蓋から一定距離以上離間した浴槽を省略した状態の排水口側装置などの斜視図である。
【図８】栓蓋から一定距離以上離間した浴槽を省略した状態の排水口側装置の斜視図である。
【図９】ユニット体の概略構成を示す斜視図である。
【図１０】ユニット体の一端側部分の概略構成を示す一部破断正面図である。
【図１１】ユニット体の他端側部分の概略構成を示す断面図である。
【図１２】栓蓋側機構部の斜視図である。
【図１３】栓蓋側機構部の断面図である。
【図１４】基部の端面側から見たときにおけるケース部を外した状態の栓蓋側機構部の斜視図である。
【図１５】回動部の端面側から見たときにおけるケース部を外した状態の栓蓋側機構部の斜視図である。
【図１６】ケース部及び基部を外した状態における回動部の斜視図である。
【図１７】第二構成部を外した状態における基部や第一構成部等の分解斜視図である。
【図１８】戻りばねの斜視図である。
【発明を実施するための形態】
【００３８】
以下に、一実施形態について図面を参照しつつ説明する。図１に示すように、排水栓装置１は、槽体及び取付対象物としての浴槽１００に取付けられており、操作側装置２、排水口側装置３及びユニット体４を備えている。尚、浴槽１００は、その底面を構成する底面部１０１を備えており、当該底面部１０１には、排水口１０２が貫通形成されている。さらに、底面部１０１の外周には、周壁部１０３が立設されており、当該周壁部１０３は、自身の上部に外側に向けて延びるフランジ部１０４を備えている。フランジ部１０４には、取付孔１０５（図２参照）が貫通形成されている。
【００３９】
まず、操作側装置２について説明する。操作側装置２は、図２に示すように、操作側被取付部２１と、筒状部材２２と、操作部材２３とを備えている。
【００４０】
操作側被取付部２１は、操作部材２３の移動をガイドするとともに、ユニット体４の被取付部として機能する部材である。操作側被取付部２１は、円筒状をなしており、取付孔１０５に挿設されている。また、操作側被取付部２１は、その上端部において径方向外側に突出形成された挟持鍔部２１Ａと、当該挟持鍔部２１Ａよりも下方の外周に形成された雄ねじ部２１Ｂとを備えている。
【００４１】
さらに、操作側被取付部２１は、その他端部の内周に、径方向内側に突出する環状の被係止部２１Ｃを有している。加えて、操作側被取付部２１の内面のうちその下端から被係止部２１Ｃにかけての部位には、上方側に向けて徐々に内径が小さくなるテーパ部２１Ｄが設けられている。
【００４２】
筒状部材２２は、主として浴槽１００に対する操作側被取付部２１の取付部品として機能するものである。筒状部材２２は、筒状をなすとともに、自身の内周に前記雄ねじ部２１Ａを螺合可能な雌ねじ部２２Ａを備えている。そして、取付孔１０５に挿通された操作側被取付部２１の前記雄ねじ部２１Ｂが、筒状部材２２の前記雌ねじ部２２Ａに螺合され、挟持鍔部２１Ａと筒状部材２２の上端面との間でフランジ部１０４を挟み込むことで、操作側被取付部２１が浴槽１００のフランジ部１０４に取付けられた状態となっている。操作側被取付部２１は、浴槽１００に取付けられた状態において、浴槽１００の表面側（本実施形態では、フランジ部１０４の上面側）から自身の一端側開口を通って自身の内部へと水が浸入可能とされている。
【００４３】
また、本実施形態において、浴槽１００と筒状部材２２の上端面との間には、弾性変形可能な材料により形成された環状のシール部材２４が介在されている。シール部材２４により、筒状部材２２と浴槽１００との間からの漏水防止が図られている。尚、漏水防止をより確実に図るべく、浴槽１００と挟持鍔部２１Ａとの間にシール部材を設けてもよい。
【００４４】
さらに、筒状部材２２の下部外周には、周方向に沿って延びる環状の溝部２２Ｂが設けられている。そして、この溝部２２Ｂに対し、弾性材料（例えば、ゴム等）からなる環状のシール部材２５が配設されている。
【００４５】
操作部材２３は、排水口１０２を開閉する際の操作対象となる部位であり、操作側被取付部２１の内部に配置されている。操作部材２３は、操作側被取付部２１に対し相対変位可能とされている。具体的には、操作部材２３は、後述する操作軸４２１の上端部に取付けられており、操作軸４２１とともに上下方向に沿って往復動作可能とされている。
【００４６】
次いで、排水口側装置３について説明する。図３及び図４に示すように、排水口側装置３は、排水口部材３１と、排水部材３２と、栓蓋ユニット３３とを備えている。尚、図３は、図５のＪ−Ｊ線断面図であり、図４は、図５のＫ−Ｋ線断面図である。また、図３等では、後述する主管部４１１の図示を省略している。
【００４７】
排水口部材３１は、円筒状に形成されており、自身の中心軸と排水口１０２の中心軸とがほぼ一致した状態で排水口１０２に挿設されている。排水口部材３１は、その上端部において径方向外側に突出形成された挟持鍔部３１Ａと、当該挟持鍔部３１Ａよりも下方の外周に形成された雄ねじ部３１Ｂとを備えている。
【００４８】
排水部材３２は、鉛直方向に沿って延び、内側部分が排水口１０２を流れる排水の流路を構成する円筒状の本体管３２１を備えている。本体管３２１は、その一端部（上端部）内周に前記雄ねじ部３１Ｂを螺合可能な雌ねじ部３２１Ａを備えている。そして、排水部材３２を排水口１０２に挿通しつつ挟持鍔部３１Ａを底面部１０１上に配置した状態で、前記雄ねじ部３１Ｂを前記雌ねじ部３２１Ａに螺合し、挟持鍔部３１Ａ及び排水部材３２の上端面により底面部１０１を挟み込むことで、排水口部材３１及び排水部材３２が接続されるとともに、両者が浴槽１００に取付けられた状態となっている。
【００４９】
また、本実施形態において、底面部１０１と排水口部材３１（挟持鍔部３１Ａ）との間には、弾性変形可能な材料により形成された環状のシール部材３４が介在されている。シール部材３４により、排水口部材３１及び排水部材３２と浴槽１００との間からの漏水防止が図られている。尚、漏水防止をより確実に図るべく、浴槽１００と排水部材３２の上端面との間にシール部材を設けてもよい。
【００５０】
また、本体管３２１は、内側から外側に貫通する連通孔３２１Ｂを有している。そして、排水部材３２は、連通孔３２１Ｂに対応する部位に、本体管３２１から枝分かれした状態で延びる円筒状の栓蓋側被取付部３２２を備えている。
【００５１】
栓蓋側被取付部３２２は、ユニット体４の被取付部として機能するとともに、操作側被取付部２１に流入した水を本体管３２１側へと通す際の通水路の一部を構成する部位である。栓蓋側被取付部３２２のうち少なくとも後述する通水管部４１の他端側部分の被取付部は、水平方向に延びるように構成されている。尚、本実施形態では、栓蓋側被取付部３２２の全体が水平方向に延びるように構成されている。
【００５２】
また、栓蓋側被取付部３２２の外周には、その周方向に沿って間隔をあけた状態で複数（本実施形態では、２つ）の位置決め凹部３２２Ａ（図７及び図８参照）が設けられている。さらに、栓蓋側被取付部３２２の外周には、周方向に沿って延びる環状の溝部３２２Ｂが設けられている。そして、この溝部３２２Ｂに対し、弾性材料（例えば、ゴム等）からなる環状のシール部材３５が配設されている。
【００５３】
さらに、栓蓋側被取付部３２２は、本体管３２１（すなわち、排水口１０２を流れる排水の流路）とは反対側に位置する開口である端部開口３２２Ｃを有している。本実施形態において、端部開口３２２Ｃは、水平向き（横向き）に開口するように構成されている。
【００５４】
栓蓋ユニット３３は、排水口１０２の開閉などを行うために、排水の流路に対応して設けられたものである。栓蓋ユニット３３は、通水部材３３１、支持軸３３２及び栓蓋３３３を有している。
【００５５】
通水部材３３１は、円筒状をなしており、本体管３２１の内周面に沿って上下動可能な状態で配置されている。通水部材３３１の内周は、支持軸３３２の外周部に対し、複数の板状の連結部３３２Ａ（図４参照）を介して連結されている。
【００５６】
支持軸３３２は、棒状をなしており、その上端部に栓蓋３３３が取付けられている。
【００５７】
栓蓋３３３は、樹脂等からなる円板状の栓蓋本体部３３３Ａと、当該栓蓋本体部３３３Ａに取付けられたパッキン部３３３Ｂとを備えている。パッキン部３３３Ｂは、弾性変形可能な材料（例えば、ゴムや樹脂等）によって環状に形成されており、栓蓋本体部３３３Ａの背面の外周側に取付けられている。尚、図３や図４等では、栓蓋本体部３３３Ａにおけるパッキン部３３３Ｂの被取付部を省略しているが、実際の栓蓋本体部３３３Ａは、パッキン部３３３Ｂを嵌合して取付けるための溝部などを備えている。
【００５８】
ユニット体４は、操作側被取付部２１から栓蓋側被取付部３２２に対する排水の流路として、また、操作部材２３の変位による駆動力の伝達部として機能するとともに、操作側被取付部２１及び栓蓋側被取付部３２２に対し比較的簡易に取付・取外可能とされた複数部品の集合体である。ユニット体４は、図９に示すように、通水管部４１、操作側機構部４２、栓蓋側機構部４３、アウターチューブ４４及び伝達部材４５が一体とされることで構成されている。
【００５９】
まず、通水管部４１について説明する。通水管部４１は、操作側被取付部２１の内部に浸入した水を排水部材３２（本体管３２１）の内側空間へと案内するものである。通水管部４１は、主管部４１１と、当該主管部４１１の一端部に設けられた操作側取付部４１２と、主管部４１１の他端部に設けられた栓蓋側取付部４１３とを備えている。
【００６０】
主管部４１１は、円筒状をなしており、主として操作側被取付部２１から栓蓋側被取付部３２２に対する排水の流路を構成するものである。主管部４１１は、比較的長くやや固めのものであり、多少湾曲させることは可能であるが、折返したり急な角度で屈曲させたりすることは難しいものとなっている。
【００６１】
操作側取付部４１２は、操作側機構部４２を保持するとともに、操作側被取付部２１に対する通水管部４１の取付部として機能するものである。操作側取付部４１２は、図１０に示すように、機構保持部４１２Ａと、挿通部４１２Ｂと、外筒部４１２Ｃと、主管部一端側接続部４１２Ｄとを備えている。
【００６２】
機構保持部４１２Ａは、筒状をなし、自身の内周にて操作側機構部４２を保持するものである。より詳しくは、機構保持部４１２Ａは、その上端部内周に径方向内側に突出する突部４１２Ｅを備えており、自身の内周に操作側機構部４２が挿通されつつ、操作側機構部４２の外周に設けられた窪みに対し前記突部４１２Ｅが係止された状態となることで、操作側機構部４２を保持している。
【００６３】
挿通部４１２Ｂは、複数（例えば、４つ）の片部が等間隔に円筒状に配置されてなるものであり、機構保持部４１２Ａと間隔をあけた状態で機構保持部４１２Ａの外側に配置されている。挿通部４１２Ｂを構成する各片部の外周には、外側に突出し、内外方向に弾性変形可能な係止部４１２Ｆが設けられている。そして、挿通部４１２Ｂが操作側被取付部２１の内周に挿通された上で、被係止部２１Ｃに対し係止部４１２Ｆが係止されることにより、操作側被取付部２１に対し操作側取付部４１２（通水管部４１の一端側部分）が取付けられるようになっている（図２参照）。本実施形態では、被係止部２１Ｃに対し係止部４１２Ｆを係止することで、通水管部４１の一端側部分を最終的な配設目的位置に設置することができるようになっている。換言すれば、通水管部４１の一端側部分は、操作側被取付部２１へと取付けられることで、最終的な配設目的位置に設置されるように構成されている。
【００６４】
尚、操作側取付部４１２を操作側被取付部２１に取付けるにあたっては、係止部４１２Ｆを操作側被取付部２１のテーパ部２１Ｄに接触させつつ、操作側取付部４１２を上方へと移動させることで、係止部４１２Ｆを徐々に径方向内側に弾性変形させつつ、操作側被取付部２１の内周に挿通部４１２Ｂを入り込ませていく。そして、操作側取付部４１２を上方へと移動させ続け、係止部４１２Ｆが被係止部２１Ｃを通過した状態になると、係止部４１２Ｆが戻り変形し、係止部４１２Ｆが被係止部２１Ｃに係止される（操作側取付部４１２が操作側被取付部２１に取付けられる）。すなわち、本実施形態では、スナップフィットを利用することで、操作側被取付部２１に対し操作側取付部４１２がワンタッチで取付可能となっている。
【００６５】
一方、係止部４１２Ｆを径方向内側に弾性変形させた状態で、操作側被取付部２１から挿通部４１２Ｂを引抜く方向に操作側取付部４１２を移動させることで、操作側被取付部２１から通水管部４１を取外可能となっている。尚、係止部４１２Ｆを径方向内側に弾性変形させることは、例えば、操作側機構部４２（後述する操作軸４２１）から操作部材２３を取外した状態で行われる。
【００６６】
外筒部４１２Ｃは、円筒状をなしており、挿通部４１２Ｂから間隔をあけた状態で、挿通部４１２Ｂの外側に配置されている。また、操作側被取付部２１に対し操作側取付部４１２を取付けた状態においては、筒状部材２２の外周面と外筒部４１２Ｃの内周面との間に前記シール部材２５が配置された状態になり、このシール部材２５によって筒状部材２２と通水管部４１との間からの漏水防止が図られている。
【００６７】
主管部一端側接続部４１２Ｄは、主管部４１１の一端部が取付けられる部位であり、機構保持部４１２Ａとほぼ同径の円筒状をなし、機構保持部４１２Ａとは反対側に延びている。操作側被取付部２１に対し通水管部４１（操作側取付部４１２）が取付けられた状態において、操作側被取付部２１内に浸入した水は、主管部一端側接続部４１２Ｄを通って主管部４１１内に流れ込むようになっている。
【００６８】
栓蓋側取付部４１３は、栓蓋側被取付部３２２との間で栓蓋側機構部４３を保持するとともに、栓蓋側被取付部３２２に対する通水管部４１の取付部として機能するものである。栓蓋側取付部４１３は、図１１に示すように、比較的小径の円筒状をなし、主管部４１１の他端部が取付けられる主管部他端側接続部４１３Ａと、当該主管部他端側接続部４１３Ａよりも大径の大径部４１３Ｂとを備えている。主管部他端側接続部４１３Ａ及び大径部４１３Ｂは、内部空間が相互に連通した状態となっており、本実施形態では、大径部４１３Ｂが水平方向に延びる形状をなす一方、主管部他端側接続部４１３Ａが大径部４１３Ｂの端部から斜め水平方向（斜め上方）に向けて延びる形状をなすように構成されている。さらに、主管部他端側接続部４１３Ａの内周には、アウターチューブ４４及び伝達部材４５を通すための窪み部４１３Ｃが設けられている（尚、図１１では、アウターチューブ４４等を不図示）。
【００６９】
また、大径部４１３Ｂは、その径方向に沿って弾性変形可能であり、位置決め凹部３２２Ａに対応する複数の爪部４１３Ｄを備えている（図７等参照）。そして、大径部４１３Ｂに栓蓋側被取付部３２２を挿通し、各爪部４１３Ｄを位置決め凹部３２２Ａに係止することで、栓蓋側被取付部３２２に対し通水管部４１の他端側部分が取付けられるようになっている。本実施形態では、爪部４１３Ｄの弾性変形を利用することで、栓蓋側被取付部３２２に対し通水管部４１をワンタッチで取付けることが可能となっている。
【００７０】
また、本実施形態では、位置決め凹部３２２Ａに対し各爪部４１３Ｄを係止することで、通水管部４１の他端側部分を最終的な配設目的位置に設置することができるようになっている。換言すれば、通水管部４１の他端側部分は、栓蓋側被取付部３２２へと取付けられることで最終的な配設目的位置に設置されるように構成されている。尚、本実施形態では、通水管部４１の一端側部分及び他端側部分をそれぞれ最終的な配設目的位置に設置することで、通水管部４１の全体を最終的な配設目的位置に設置することができ、さらに、操作側機構部４２及び栓蓋側機構部４３を最終的な配設目的位置に設置することができる。また、両機構部４２，４３を最終的な配設目的位置に設置することで、アウターチューブ４４及び伝達部材４５も最終的な配設目的位置に設置することが可能となっている。
【００７１】
一方、爪部４１３Ｄを径方向外側に弾性変形させた状態で、大径部４１３Ｂから栓蓋側被取付部３２２を引抜く方向に通水管部４１を移動させることで、栓蓋側被取付部３２２から通水管部４１を取外可能となっている。
【００７２】
尚、位置決め凹部３２２Ａに爪部４１３Ｄが係止されることで、栓蓋側被取付部３２２及び通水管部４１は一定の位置関係で接続される。これにより、結果的に、栓蓋側被取付部３２２の周方向に沿った一定の位置に窪み部４１３Ｃが配置された状態になるため、アウターチューブ４４及び伝達部材４５についても栓蓋側被取付部３２２の周方向に沿ったほぼ一定の位置に配置されることになる。
【００７３】
また、栓蓋側被取付部３２２に対し通水管部４１を取付けた状態においては、栓蓋側被取付部３２２の外周面と大径部４１３Ｂの内周面との間に、前記シール部材３５が配置された状態になり、このシール部材３５によって栓蓋側被取付部３２２と通水管部４１との間からの漏水防止が図られている（図３等参照）。
【００７４】
次いで、操作側機構部４２について説明する。操作側機構部４２は、操作側装置２側に配置され、操作部材２３及び伝達部材４５間における力の伝達経路を構成しつつ、アウターチューブ４４の一端部を保持するものである。操作側機構部４２は、図２及び図１０に示すように、操作側取付部４１２の機構保持部４１２Ａによって保持されることで、通水管部４１の一端側部分に設けられており、操作軸４２１及び保持筒部４２２を備えている。
【００７５】
操作軸４２１は、直棒状をなし、保持筒部４２２に対し上下動可能な状態で挿通されている。また、操作軸４２１は、通水管部４１の一端側部分（操作側取付部４１２）を操作側被取付部２１に取付けた状態において、自身の上端部が操作側被取付部２１内に配置されるように構成されており、この上端部に対し操作部材２３が取付けられている。さらに、図示はしていないが、操作軸４２１の下端部は、伝達部材４５の一端部と接触可能となっており、操作軸４２１が往動（下動）することで伝達部材４５が往動（操作側装置２側から排水口側装置３側へと移動）し、伝達部材４５が復動することで操作軸４２１が復動（上動）するようになっている。
【００７６】
保持筒部４２２は、自身の内周に、アウターチューブ４４の一端部を保持する一端保持部４２２Ａを備えている。一端保持部４２２Ａは、円環溝状をなしており、アウターチューブ４４の一端部に設けられた比較的大径のフレア部分が嵌め込まれることで、アウターチューブ４４の一端部を保持している。
【００７７】
また、保持筒部４２２の内部には、操作軸４２１を所定位置にてロックするためのロック機構（図示せず）が設けられている。操作部材２３の押圧により操作軸４２１が前記一定位置よりも下方に配置され、その後、押圧力が解除されると、前記ロック機構によって操作軸４２１は前記一定位置にてロックされる。この状態で、操作部材２３を再度押圧すると、前記ロック機構による操作軸４２１のロックが解除される。
【００７８】
次いで、栓蓋側機構部４３について説明する。栓蓋側機構部４３は、排水口側装置３側に配置され、伝達部材４５及び栓蓋３３３間における力の伝達経路の一部を構成しつつ、アウターチューブ４４の他端部を保持するものである。栓蓋側機構部４３は、図１１に示すように、少なくとも一部が栓蓋側取付部４１３の内側に配置されることで通水管部４１の他端側部分に設けられている。栓蓋側機構部４３は、図１２〜１７に示すように、円柱部４３１、支持部４３２及びケース部４３３を備えている。
【００７９】
円柱部４３１は、通水管部４１の他端側部分（栓蓋側取付部４１３）を栓蓋側被取付部３２２に取付けた状態において、ケース部４３３とともに栓蓋側被取付部３２２に挿設される。円柱部４３１は、基部４３１１及び回動部４３１２を備えている。
【００８０】
基部４３１１は、円筒状をなしており、栓蓋側被取付部３２２における本体管３２１とは反対の端部側へと挿通されている。基部４３１１の端部には、外側に突出する鍔状部４３１１Ａが設けられており、当該鍔状部４３１１Ａは、栓蓋側被取付部３２２に対する通水管部４１の取付に伴い両者に挟まれた状態となっている（図４参照）。これにより、栓蓋側被取付部３２２に対し通水管部４１を取付けた状態において、栓蓋側被取付部３２２の軸方向に沿った一定の位置に栓蓋側機構部４３が配置されるようになっている。
【００８１】
回動部４３１２は、円筒状をなしており、栓蓋側被取付部３２２における本体管３２１側の部位に挿設されている。回動部４３１２は、基部４３１１と同軸状に配置されており、自身の中心軸ＣＬ１を回動軸として基部４３１１に対し相対回動可能とされている。回動部４３１２は、操作部材２３側から栓蓋３３３側に対する駆動力の伝達経路の一部を構成し、伝達部材４５の変位に伴い回動するものであり、本実施形態では、介在部材に相当する。さらに、基部４３１１及び回動部４３１２のそれぞれの中心部を貫通するようにして通水部４３１３が設けられており、この通水部４３１３を通ることで、通水管部４１から本体管３２１へとの排水が容易に流入可能となっている。本実施形態において、通水部４３１３は、円柱部４３１の軸方向に沿って内径が一定の円柱状の空間となっている。
【００８２】
また、回動部４３１２は、それぞれ円筒状をなすとともに、同軸状に配置された第一構成部４３１２Ａと第二構成部４３１２Ｂとを備えている。本実施形態では、第一構成部４３１２Ａに形成された環状のアブソーバ配置空間４３１２Ｃ（図１３等参照）に対し、所定のショックアブソーバスプリング（図示せず）が配置されており、当該ショックアブソーバスプリングによって、第一構成部４３１２Ａ及び第二構成部４３１２Ｂに対し、両者の相対回動を規制する方向の付勢力が付与された状態になっている。従って、通常、両構成部４３１２Ａ，４３１２Ｂは同一態様で回動し、第二構成部４３１２Ｂに対し第一構成部４３１２Ａが相対回動することはないが、栓蓋３３３を踏みつけたり、栓蓋３３３に重量物を載置したりした場合など、支持部４３２に対し下向きの大きな力が付与された際には、前記ショックアブソーバスプリングからの付勢力に抗して第一構成部４３１２Ａが第二構成部４３１２Ｂに対し相対回動し、ひいては支持部４３２が下方に逃げるようになっている。その結果、支持部４３２や回動部４３１２における破損や変形をより確実に防止可能となっている。
【００８３】
加えて、第二構成部４３１２Ｂには、環状の戻りばね配置空間４３１２Ｄ（図１３等参照）が形成されており、当該戻りばね配置空間４３１２Ｄには、ねじりコイルばねからなる戻りばね４３４（図１６及び図１８参照）が配置されている。当該戻りばね４３４からの付勢力により、回動部４３１２には、排水口１０２を開状態から閉状態へと切換える際の方向に沿った力が常に付与された状態となっている。
【００８４】
さらに、円柱部４３１は、伝達部材４５の配置される空間であり、円周方向通路４３１４Ａ及び交差方向通路４３１４Ｂを有してなる湾曲通路４３１４を備えている。円周方向通路４３１４Ａは、基部４３１１及び回動部４３１２間において両者により形成されており、基部４３１１の周方向（すなわち、回動部４３１２の回動方向）に沿って延びている。交差方向通路４３１４Ｂは、円周方向通路４３１４Ａに連なる通路であり、中心軸ＣＬ１に直交する平面（円周方向通路４３１４Ａと平行な平面）と交差する方向に延びている。本実施形態において、交差方向通路４３１４Ｂのうち少なくとも円周方向通路４３１４Ａと連なる部位は、円周方向通路４３１４Ａに対し滑らかに連結される湾曲形状をなしている。
【００８５】
さらに、基部４３１１における交差方向通路４３１４Ｂの開口に対応する部位には、アウターチューブ４４の他端部を保持するための窪み状の他端保持部４３１１Ｂが設けられている。この他端保持部４３１１Ｂに対し、アウターチューブ４４の他端部に設けられた比較的大径のフレア部分（鍔状部分）が配置されることで、栓蓋側機構部４３によってアウターチューブ４４の他端部が保持された状態となっている。
【００８６】
支持部４３２は、短い棒状をなしており、回動部４３１２（第一構成部４３１２Ａ）における本体管３２１の内部空間側に位置する端面の外周寄りから突出している。支持部４３２は、栓蓋側機構部４３が最終的な配設目的位置に配設された状態において、本体管３２１内（つまり、排水口１０２を流れる排水の流路）に配置されるようになっている。また、支持部４３２は、少なくとも排水口１０２が開状態であるときに、通水部材３３１を支持して持ち上げるように構成されている。
【００８７】
ケース部４３３は、円筒状をなしており、基部４３１１、第一構成部４３１２Ａ及び第二構成部４３１２Ｂが分離することを防ぎつつ、これらを自身の内部に収容するものである。本実施形態では、ケース部４３３の一端部に設けられた内向きの突出部分が第一構成部４３１２Ａに係止されつつ、ケース部４３３の他端部が基部４３１１に固定されることで、ケース部４３３内において基部４３１１、第一構成部４３１２Ａ及び第二構成部４３１２Ｂが保持された状態となっている。尚、回動部４３１２は、ケース部４３３に対し相対回転可能である一方、基部４３１１はケース部４３３に対し相対回転不能となっている。
【００８８】
また、ケース部４３３の外周には、位置決め凸部４３３Ａ（図１２参照）が設けられており、栓蓋側機構部４３を栓蓋側被取付部３２２へと挿通したときに、栓蓋側被取付部３２２の内部に設けられた図示しない凹状部に対し位置決め凸部４３３Ａを配置可能となっている。前記凹状部へと位置決め凸部４３３Ａを配置することで、栓蓋側被取付部３２２の周方向に沿ったほぼ一定の位置に栓蓋側機構部４３を配置可能となっている。
【００８９】
次いで、アウターチューブ４４及び伝達部材４５について説明する。アウターチューブ４４は、比較的長尺の筒状をなしており、伝達部材４５は、ワイヤ状をなし、例えば、金属製のコアコイル等により構成されている。伝達部材４５は、操作部材２３の変位による駆動力を栓蓋３３３側へと伝達するものであり、その大部分がアウターチューブ４４の内周に往復動作可能な状態で挿通されている。伝達部材４５は、アウターチューブ４４によって操作側装置２側から排水口側装置３側へと案内されている。
【００９０】
また、伝達部材４５のうちアウターチューブ４４の他端部から突出した部位は、湾曲通路４３１４に対し往復動作可能な状態で配置されている（図１６及び図１７において、湾曲通路４３１４における伝達部材４５の大まかな配置位置を二点鎖線で示す）。伝達部材４５の他端部は、円周方向通路４３１４Ａに配置されており、回動部４３１２の回動方向に沿って回動部４３１２（第二構成部４３１２Ｂ）に設けられた突起部４３１２Ｅ（図１６参照）に対し接触可能に構成されている。
【００９１】
上記のように構成された排水栓装置１では、排水口１０２が閉状態であるときに、操作部材２３を下方へと押圧し操作軸４２１を往動させることで伝達部材４５が往動し、ひいては伝達部材４５の他端部により突起部４３１２Ｅが押圧されて回動部４３１２が一方側へと回動する。その結果、支持部４３２が上動することで、当該支持部４３２によって通水部材３３１が持ち上げられ、ひいては支持軸３３２及び栓蓋３３３が上動する。そして、パッキン部３３３Ｂが排水口部材３１（挟持鍔部３１Ａ）から離間することで、排水口１０２が開状態へと切換えられる（図２参照）。また、このとき、前記ロック機構によって操作軸４２１が往動した状態でロックされるため、伝達部材４５も往動後の位置にて移動が規制された状態となり、ひいては前記戻りばね４３４からの付勢力に抗して回動部４３１２が一方側に回動した状態で停止し続ける。その結果、排水口１０２が開状態で維持される。
【００９２】
一方、排水口１０２が開状態であるときには、操作部材２３を下方へと押圧し、前記ロック機構によるロックを解除することで、伝達部材４５の移動規制も解除され、ひいては前記戻りばね４３４からの付勢力により回動部４３１２が他方側に回動する。その結果、支持部４３２や栓蓋３３３等が下動し、パッキン部３３３Ｂが排水口部材３１（挟持鍔部３１Ａ）と接触することで、排水口１０２が閉状態へと切換えられる。また、回動部４３１２（突起部４３１２Ｅ）により押圧されることで伝達部材４５や操作軸４２１、操作部材２３が復動する。尚、戻りばね４３４に加えて又は代えて、操作側機構部４２に対し、伝達部材４５や操作軸４２１に対しその復動方向に沿った力を印加する戻り手段（例えば、ばねなど）を設けることで、排水口１０２の閉状態への切換えや、伝達部材４５等の復動がより確実になされるように構成してもよい。
【００９３】
尚、本実施形態では、排水口１０２が閉状態とされ、支持部４３２が最も下方に配置されたときに、支持部４３２から通水部材３３１が浮いた状態となる。そのため、排水口１０２を閉状態としたときに、排水口部材３１へとパッキン部３３３Ｂをより確実に接触させることができ、良好な水密性を得ることができる。
【００９４】
また、本実施形態では、浴槽１００の表側から上方に向けて栓蓋３３３や支持軸３３２を引上げることで、栓蓋ユニット３３を、排水口部材３１及び本体管３２１からなる筒状部分、すなわち、排水の流路を構成する筒状部分から引抜可能となっている。そして、栓蓋ユニット３３を引抜いた状態において、排水の流路を構成する筒状部分には、支持部４３２のみが僅かに突出した状態となる。そのため、メンテナンス性や清掃性の向上を図ることが可能となっている。
【００９５】
次いで、浴槽１００に対する排水栓装置１の取付手法について説明する。尚、取付に先立って、通水管部４１の一端側に操作側機構部４２が設けられ、通水管部４１の他端側に栓蓋側機構部４３が設けられ、かつ、両機構部４２，４３によってアウターチューブ４４の両端部が保持され、さらに、当該アウターチューブ４４内に伝達部材４５が挿通されてなるユニット体４が予め得られている。
【００９６】
排水栓装置１の取付にあたっては、まず、操作側被取付部２１の雄ねじ部２１Ｂを筒状部材２２の雌ねじ部２２Ａに螺合し、操作側被取付部２１の挟持鍔部２１Ａ及び筒状部材２２の上面によってフランジ部１０４を挟み込んだ状態とすることにより、フランジ部１０４に対し操作側被取付部２１などを設けた状態とする。また、排水口部材３１の雄ねじ部３１Ｂを排水部材３２の雌ねじ部３２１Ａに螺合し、排水口部材３１の挟持鍔部３１Ａ及び排水部材３２の上面によって底面部１０１を挟み込んだ状態とすることにより、底面部１０１に対し栓蓋側被取付部３２２などを設けた状態とする。
【００９７】
次いで、栓蓋側被取付部２１の下方から、ユニット体４に設けられた操作側機構部４２を操作側被取付部２１へと挿通しつつ、被係止部２１Ｃへと係止部４１２Ｆを係止することで、ユニット体４における通水管部４１の一端側部分（操作側取付部４１２）を操作側被取付部２１へと取付ける。また、排水部材３２の横から、ユニット体４に設けられた栓蓋側機構部４３を端部開口３２２Ｃを通して栓蓋側被取付部３２２へと挿通しつつ、位置決め凹部３２２Ａへと爪部４１３Ｄを係止することで、ユニット体４における通水管部４１の他端側部分（栓蓋側取付部４１３）を栓蓋側被取付部３２２へと取付ける。これにより、栓蓋側被取付部３２２及び操作側被取付部２１が通水管部４１により接続された状態になるとともに、ユニット体４を構成する各部品が、それぞれ最終的な配設目的位置に配設された状態となる。例えば、栓蓋側機構部４３は、鍔状部４３１１Ａが栓蓋側被取付部３２２及び通水管部４１により挟まれ、かつ、位置決め凸部４３３Ａが前記凹状部へと配置されることで、栓蓋側被取付部３２２に対し一定の相対位置関係となった状態（つまり、最終的な配設目的位置に位置した状態）で配設される。また、例えば、操作側機構部４２は、通水管部４１の一端側部分が操作側被取付部２１に対し操作側被取付部２１の軸方向（上下方向）に沿った一定位置に配置されることで、操作側被取付部２１に対し前記軸方向に沿って一定の相対位置関係となった状態（つまり、最終的な配設目的位置に位置した状態）で配設される。
【００９８】
そして最後に、栓蓋ユニット３３を排水口部材３１及び排水部材３２の内部へと投入しつつ、操作軸４２１の上端部に操作部材２３を取付けることで、浴槽１００に対する排水栓装置１の取付が完了する。
【００９９】
尚、浴槽１００からの排水栓装置１の取外は、上記の取付手法と逆の手順で行うことができる。従って、通水管部４１の一端側部分（操作側取付部４１２）を操作側被取付部２１から取外すとともに、通水管部４１の他端側部分（栓蓋側取付部４１３）を栓蓋側被取付部３２２から取外すことで、各部品がひとまとめにされた状態のユニット体４を取外すことができる。尚、栓蓋側機構部４３は、端部開口３２２Ｃを通して栓蓋側被取付部３２２から取外されることになる。
【０１００】
以上詳述したように、本実施形態によれば、通水管部４１を栓蓋側被取付部３２２及び操作側被取付部２１に取付ける工程を行うことで、栓蓋側機構部４３を最終的な配設目的位置にセットする工程と、操作側機構部４２を最終的な配設目的位置にセットする工程とを一度に行うことができる。また、取付作業時に、通水管部４１にアウターチューブ４４などを挿入する工程を行うことなく、伝達部材４５及びアウターチューブ４４を最終的な配設目的位置にセットすることができる。従って、取付に係る作業工数を著しく減らすことができる。さらに、通水管部４１を栓蓋側被取付部３２２及び操作側被取付部２１から取外すことで、ユニット体４を取外すことができるため、取外に係る作業工数も著しく減らすことができる。
【０１０１】
加えて、ユニット体４を構成する各部品は一体である（ひとまとめとされている）ため、ユニット体４を構成する各部品を分離した状態とすることなく、これらをまとめた状態で取付・取外を行うことができる。従って、取付や取外に係る利便性を効果的に高めることができる。
【０１０２】
また、ユニット体４を操作側被取付部２１等に取付けさえすれば、通水管部４１を最終的な配設目的位置にセットすることができる。従って、出荷段階では排水部材３２（栓蓋側被取付部３２２）及び操作側被取付部２１と通水管部４１（ユニット体４）とを分離させておき、施工現場にて、通水管部４１を栓蓋側被取付部３２２及び操作側被取付部２１に取付ける工程を行うこととしても、工場等で当該工程を行う場合と同様に、排水部材３２等に対し通水管部４１を適切な状態で取付けることができ、作業の容易性向上や取付ミスの防止をより確実に図ることができる。加えて、これらの作用効果を得るために、工場などで上記工程を予め行い、通水管部４１及び排水部材３２等を一体品としておく必要はなくなる。従って、部品の輸送や梱包に支障が生じてしまうことをより確実に防止できる。さらに、施工現場における部品の取り回しが容易となり、作業性を一段と向上させることができる。
【０１０３】
加えて、操作側被取付部２１の内部に浸入した水は、排水部材３２（本体管３２１）の内側部分へと導かれる状態となるため、排水口１０２を通過した水と、操作側被取付部２１の内部に浸入した水とを一か所に集めて排水することができる。従って、部品点数の削減を図りつつ、衛生性や清掃性を高めることができる。
【０１０４】
また、栓蓋側被取付部３２２のうち少なくとも通水管部４１の他端側部分が取付けられる部位は、水平方向に延びている。従って、排水部材３２の横から、通水管部４１の他端側部分を、栓蓋側被取付部３２２に取付けたり、栓蓋側被取付部３２２から取外したりすることができる。従って、排水部材３２の下方に十分なスペースがないような場合であっても、通水管部４１の取付・取外に係る作業をより容易に行うことができ、作業性をより高めることができる。また、浴槽１００の下方のスペースが小さい場合であっても、栓蓋側被取付部３２２や通水管部４１などを比較的余裕をもって配設することが可能となる。そのため、浴槽１００や浴槽を利用した構造物（例えば、浴室ユニット等）における設計の自由度を高めることが可能となる。
【０１０５】
さらに、栓蓋側被取付部３２２に対し通水管部４１を取付けた状態において、鍔状部４３１１Ａが、栓蓋側被取付部３２２及び通水管部４１（栓蓋側取付部４１３）により挟まれた状態となるため、特段の調節などを行うことなく、栓蓋側機構部４３を一定位置により確実に配置することができる。
【０１０６】
加えて、円柱部４３１には、操作側被取付部２１の内部に浸入した水の流路となる通水部４３１３が設けられている。従って、水を円滑に流すことができ、良好な排水能力をより確実に確保することができる。また、通水部４３１３は、円柱部４３１の中心部を貫通する形状をなすため、回動部４３１２が回動した場合であっても、通水部４３１３の位置がほとんど変化しなくなり、より円滑な通水を図ることができる。
【０１０７】
さらに、本実施形態において、ユニット体４は、円柱部４３１及び支持部４３２を備えており、ユニット体４を栓蓋側被取付部４１３等に取付けることで、基部４３１１、介在部材に相当する回動部４３１２、及び、支持部４３２をそれぞれ最終的な配設目的位置にセットすることができる。従って、取付や取外に係る作業工数をより減らすことができ、また、円柱部４３１及び支持部４３２を含むユニット体４をひとまとめにして取扱うことができる。これらの結果、設置やメンテナンスに係る作業性をより向上させることができる。
【０１０８】
尚、上記実施形態の記載内容に限定されず、例えば次のように実施してもよい。勿論、以下において例示しない他の応用例、変更例も当然可能である。
【０１０９】
（ａ）上記実施形態において、端部開口３２２Ｃは水平向き（横向き）に開口するように構成されている。これに対し、例えば、少なくとも栓蓋側被取付部３２２のうち本体管３２１とは反対側に位置する部位が斜め上向きに延びるように構成することで、端部開口３２２Ｃが斜め上向きに開口するように構成してもよい。この場合には、端部開口３２２Ｃの上方から、端部開口３２２Ｃを通した栓蓋側機構部４３（介在部材としての回動部４３１２等）の配置や取外を容易に行うことができる。従って、設置やメンテナンスに係る作業性を一層向上させることができる。
【０１１０】
また、例えば、栓蓋側被取付部を湾曲筒状とすることで、端部開口が上向き（鉛直上向き）に開口するように構成してもよい。この場合にも、上記同様の作用効果を得ることができる。尚、栓蓋側被取付部の形状に応じて、栓蓋側機構部の構成を適宜変更してもよい。
【０１１１】
（ｂ）上記実施形態において、操作部材２３は、操作側被取付部２１の内部に配置されたものとなっているが、操作部材を操作側被取付部２１の一端側開口の近傍に配置してもよい（つまり、操作側被取付部２１外に配置してもよい）。また、操作部材を、前記一端側開口の近傍及び操作側被取付部２１の内部の双方に配置してもよい（つまり、操作側被取付部２１の内部から外部にかけて配置してもよい）。
【０１１２】
さらに、上記実施形態では、往復動作する操作部材２３を挙げているが、回動動作する操作部材を採用してもよい。
【０１１３】
（ｃ）上記実施形態では、介在部材として回動可能な回動部４３１２を挙げているが、介在部材は、操作部材２３側から栓蓋３３３側に対する駆動力の伝達経路の一部を構成し、伝達部材４５の変位に伴い変位可能なものであればよく、回動するものでなくてもよい。例えば、介在部材を、伝達部材４５の往復動作に伴い、栓蓋側被取付部３２２内において栓蓋側被取付部３２２の延びる方向に沿って往復移動するものとしてもよい。この場合、介在部材に通水部材３３１の下面が載置される傾斜面を設け、介在部材の往復移動に伴い通水部材３３１のうち前記傾斜面に載置される部位が上下動し、ひいては栓蓋３３３が上下動するように構成してもよい。また、このような介在部材をユニット体４の構成部品として設けてもよい。
【０１１４】
（ｄ）上記実施形態では、栓蓋３３３（パッキン部３３３Ｂ）が排水口部材３１に接触することで排水口１０２が閉鎖されるように構成されているが、栓蓋３３３（パッキン部３３３Ｂ）が浴槽１００に接触することで排水口が閉鎖されるように構成してもよい。
【０１１５】
（ｅ）上記実施形態では、槽体として浴槽１００を例示しているが、本発明の技術思想を適用可能な槽体は浴槽に限定されるものではない。従って、例えば、洗面ボールやキッチンの流し台などに対して本発明の技術思想を適用することとしてもよい。
【０１１６】
（ｆ）上記実施形態において、操作側装置２は、取付対象物としての浴槽１００に取付けられているが、操作側装置２の取付対象は浴槽１００に限られるものではない。従って、例えば、浴槽以外の槽体（例えば、洗面ボールや流し台など）に操作側装置２を取付けることとしてもよい。また、槽体の近傍に設けられた構造物（例えば、流し台のカウンタ等）に操作側装置２を取付けることとしてもよい。
【０１１７】
さらに、操作側被取付部２１を、周壁部１０３に貫通形成されたオーバーフロー口に対応して設けることとしてもよい。この場合、通水管部４１は、前記オーバーフロー口を通った排水を排水部材３２側へと案内する機能を有するものとなり、いわゆるオーバーフロー管として機能する。
【０１１８】
（ｇ）上記実施形態において、栓蓋側被取付部３２２は筒状をなしているが、栓蓋側被取付部が環状をなすこととしてもよい。例えば、排水部材３２における連通孔３２１Ｂを形成する部位によって栓蓋側被取付部を構成してもよい。
【０１１９】
（ｈ）上記実施形態において、操作側機構部４２は、操作軸４２１を備えているが、必ずしも操作軸４２１を備えていなくてもよい。この場合には、例えば、操作側装置２に対し、操作軸４２１に相当する部位を設けることとしてもよい。
【０１２０】
また、上記実施形態において、栓蓋側機構部４３は、回動部４３１２や支持部４３２という伝達部材４５の動作に従い動作する部位を備えているが、このような部位を備えていなくてもよい。この場合には、例えば、排水口側装置３に対し、伝達部材４５の動作に伴い動作する回動部や支持部を設けることとしてもよい。
【０１２１】
（ｉ）上記実施形態では、操作側被取付部２１の内周に挿通部４１２Ｂを挿通しつつ、係止部４１２Ｆを被係止部２１Ｃに係止することで、操作側被取付部２１に対し通水管部４１の一端側部分が取付けられるように構成されているが、操作側被取付部へと通水管部の一端側部分を取付けたときに、通水管部の一端側部分や操作側機構部が最終的な配設目的位置に配置される構成であれば、操作側被取付部及び通水管部の一端側部分の取付手法は、特に限定されるものではない。従って、例えば、操作側被取付部の外周に被係止部を設けることとし、通水管部の一端側部分に対し操作側被取付部を挿通しつつ、通水管部の一端側部分を前記被係止部へと係止することで、操作側被取付部へと通水管部の一端側部分が取付けられ、かつ、通水管部の一端側部分及び操作側機構部が最終的な配設目的位置に配置されるように構成してもよい。
【０１２２】
また、栓蓋側被取付部及び通水管部の他端側部分の取付手法についても、栓蓋側被取付部へと通水管部の他端側部分を取付けたときに、通水管部の他端側部分や栓蓋側機構部が最終的な配設目的位置に配置される構成であれば、特に限定されるものではない。例えば、通水管部の他端側部分に弾性変形可能なクイックファスナーを設け、当該クイックファスナーが栓蓋側被取付部の所定部位（例えば、栓蓋側被取付部の一定位置に形成された凹部など）に係止されることで、栓蓋側被取付部に対し一定の位置関係となった状態で通水管部の他端側部分や栓蓋側機構部が配設されるように構成してもよい。
【０１２３】
勿論、操作側被取付部や栓蓋側被取付部に対する通水管部の取付手法として、ナットなどを用いたねじ止め等を採用してもよい。
【符号の説明】
【０１２４】
１…排水栓装置、２１…操作側被取付部、２３…操作部材、３２…排水部材、４１…通水管部、４２…操作側機構部、４３…栓蓋側機構部、４４…アウターチューブ、４５…伝達部材、１００…浴槽（槽体、取付対象物）、１０２…排水口、３２１Ｂ…連通孔、３２２…栓蓋側被取付部、３２２Ａ…端部開口、３３３…栓蓋、４２２Ａ…一端保持部、４３１…円柱部、４３１１Ｂ…他端保持部、４３１２…回動部（介在部材）、４３１３…通水部、４３２…支持部。
【図１】
2019203313.tif 000003
【図２】
2019203313.tif 000004
【図３】
2019203313.tif 000005
【図４】
2019203313.tif 000006
【図５】
2019203313.tif 000007
【図６】
2019203313.tif 000008
【図７】
2019203313.tif 000009
【図８】
2019203313.tif 000010
【図９】
2019203313.tif 000011
【図１０】
2019203313.tif 000012
【図１１】
2019203313.tif 000013
【図１２】
2019203313.tif 000014
【図１３】
2019203313.tif 000015
【図１４】
2019203313.tif 000016
【図１５】
2019203313.tif 000017
【図１６】
2019203313.tif 000018
【図１７】
2019203313.tif 000019
【図１８】
2019203313.tif 000020